(57)【要約】【課題】使用者に煩雑な作業を強いることなく、成形が容易な容器及び把持具を提供する。【解決手段】容器１は、内容物５を収容する容器本体２と、容器本体２と一体的で離脱自在に設けられ、内容物５を把持可能な片部３と、を備え、使用者は片部３を用いて手、指等を汚さずに内容物５を取り扱うことができる。【選択図】図２
2011173598.tif 000002
【特許請求の範囲】
【請求項１】
内容物を収容する容器本体と、
前記容器本体と一体的で離脱自在に設けられ、前記内容物を把持可能な片部と、を備える容器。
【請求項２】
前記片部は、長尺であり、長手方向中央に形成された曲げ部と、長手方向両端に形成された把持部と、を有する請求項１に記載の容器。
【請求項３】
前記片部は、前記把持部の下縁に、長手方向外側へ向かって上方へ傾斜する下縁傾斜部を有する請求項２に記載の容器。
【請求項４】
前記片部は、長手中央へ向かって上方へ傾斜する中央側傾斜部を有する請求項３に記載の容器。
【請求項５】
前記片部の前記把持部は、指を挿入可能な挿入部を含む請求項３または４に記載の容器。
【請求項６】
前記片部は、前記曲げ部が曲げられた状態から、長手方向両端を拡げる方向へ付勢する付勢部を有する請求項３から５のいずれか１項に記載の容器。
【請求項７】
前記曲げ部は、複数の折り曲げ部を含む請求項２から６のいずれか１項に記載の容器。
【請求項８】
前記片部は長手方向に一対の係合部を有し、各係合部が互いに係合すると容器本体が閉じられる請求項２から７のいずれか１項に記載の容器。
【請求項９】
前記把持部には滑り止めが形成されている請求項２から８のいずれか１項に記載の容器。
【請求項１０】
前記片部は、前記容器本体よりも硬い請求項１から９のいずれか１項に記載の容器。
【請求項１１】
前記片部を前記容器本体から離脱させると、前記容器本体が開封される請求項１から１０のいずれか１項に記載の容器。
【請求項１２】
前記容器本体は、内部が密閉されている請求項１１に記載の容器。
【請求項１３】
前記容器本体は、上部に開口部を有し、
前記片部は、前記開口部に沿って設けられる請求項１から１２に記載の容器。
【請求項１４】
長尺であり、
長手方向中央に形成された曲げ部と、
長手方向両端に形成された把持部と、を有する把持具。
【請求項１５】
前記把持部の下縁に、長手方向外側へ向かって上方へ傾斜する下縁傾斜部を有する請求項１４に記載の把持具。
【請求項１６】
長手中央へ向かって上方へ傾斜する中央側傾斜部を有する請求項１５に記載の把持具。
【請求項１７】
前記把持部は、指を挿入可能な挿入部を含む請求項１４から１６のいずれか１項に記載の把持具。
【請求項１８】
前記曲げ部が曲げられた状態から、長手方向両端を拡げる方向へ付勢する付勢部を有する請求項１４から１７のいずれか１項に記載の把持具。
【請求項１９】
前記曲げ部は、複数の折り曲げ部を含む請求項１４から１８のいずれか１項に記載の把持具。
【請求項２０】
長手方向に一対の係合部を有し、各係合部が互いに係合すると容器本体が閉じられる請求項１４から１９のいずれか１項に記載の把持具。
【請求項２１】
前記把持部には滑り止めが形成されている請求項１４から２０のいずれか１項に記載の把持具。
【発明の詳細な説明】
【技術分野】
【０００１】
本発明は、内容物を把持可能な片部を備える容器と、所定の物体を把持する把持具に関する。
【背景技術】
【０００２】
この種の容器として、特許文献１に記載のものが知られている。この容器は袋状であり、袋上部を切り取ると同時にそれ全体を覆っていたビニールもはがれ、さらにそれを３つの円筒に分割し、親指、人指し指、中指にはめることにより、指は清潔に汚さずに菓子類を食べることが可能である、とされている。
【先行技術文献】
【特許文献】
【０００３】
【特許文献１】登録実用新案第３０１６１１６号公報
【発明の概要】
【発明が解決しようとする課題】
【０００４】
しかしながら、特許文献１に記載の容器では、切り取られた袋上部を指ごとに分割しなければならず、使用者に煩雑な作業を強いることとなる。また、一端が閉塞され、他端が開放された円筒を、袋上部に３つ連続的に形成せねばならず、これを成形することは困難である。
【０００５】
本発明は、前記事情に鑑みてなされたものであり、その目的とするところは、使用者に煩雑な作業を強いることなく、成形が容易な容器及び把持具を提供することにある。
【課題を解決するための手段】
【０００６】
前記目的を達成するため、本発明では、内容物を収容する容器本体と、前記容器本体と一体的で離脱自在に設けられ、前記内容物を把持可能な片部と、を備える容器が提供される。
【０００７】
上記容器において、前記片部は、長尺であり、長手方向中央に形成された曲げ部と、長手方向両端に形成された把持部と、を有してもよい。
【０００８】
上記容器において、前記片部は、前記把持部の下縁に、長手方向外側へ向かって上方へ傾斜する下縁傾斜部を有してもよい。
【０００９】
上記容器において、前記片部は、長手中央へ向かって上方へ傾斜する中央側傾斜部を有してもよい。
【００１０】
上記容器において、前記片部の前記把持部は、指を挿入可能な挿入部を含んでもよい。
【００１１】
上記容器において、前記片部は、前記曲げ部が曲げられた状態から、長手方向両端を拡げる方向へ付勢する付勢部を有してもよい。
【００１２】
上記容器において、前記片部は、前記容器本体よりも硬くてもよい。
【００１３】
上記容器において、前記片部を前記容器本体から離脱させると、前記容器本体が開封されてもよい。
【００１４】
上記容器において、前記容器本体は、内部が密閉されていてもよい。
【００１５】
上記容器において、前記容器本体は、上部に開口部を有し、前記片部は、前記開口部に沿って設けられてもよい。
【００１６】
また、前記目的を達成するため、本発明では、長尺であり、長手方向中央に形成された曲げ部と、長手方向両端に形成された把持部と、を有する把持具が提供される。
【００１７】
上記把持具において、前記把持部の下縁に、長手方向外側へ向かって上方へ傾斜する下縁傾斜部を有してもよい。
【００１８】
上記把持具において、長手中央へ向かって上方へ傾斜する中央側傾斜部を有してもよい。
【００１９】
上記把持具において、前記把持部は、指を挿入可能な挿入部を含んでもよい。
【００２０】
上記把持具において、前記曲げ部が曲げられた状態から、長手方向両端を拡げる方向へ付勢する付勢部を有してもよい。
【００２１】
上記把持具において、前記曲げ部は、複数の折り曲げ部を含んでもよい。
【発明の効果】
【００２２】
本発明によれば、使用者に煩雑な作業を強いることなく、成形を容易とすることができる。
【図面の簡単な説明】
【００２３】
【図１】本発明の第１の実施形態を示す開封前の状態の容器の外観斜視図である。
【図２】開封した状態の容器の外観斜視図である。
【図３】把持具の正面図である。
【図４】把持具を折り曲げて載置した状態の外観斜視図である。
【図５】本発明の第２の実施形態を示す開封前の状態の容器の外観斜視図である。
【図６】開封した状態の容器の外観斜視図である。
【図７】変形例を示すものであり、（ａ）は把持具の正面図、（ｂ）はテーブル等に載置した状態の把持具の外観斜視図である。
【図８】変形例を示すものであり、（ａ）は把持具の正面図、（ｂ）はテーブル等に載置した状態の把持具の外観斜視図である。
【図９】変形例を示すものであり、片部を利用して容器を閉じた状態を示す説明図である。
【図１０】変形例を示すものであり、（ａ）は把持具の正面図、（ｂ）はテーブル等に載置した状態の把持具の外観斜視図である。
【図１１】変形例を示すものであり、（ａ）〜（ｃ）はそれぞれ把持具の一部正面図である。
【図１２】本発明の第３の実施形態を示す容器の正面説明図である。
【図１３】片部の断面説明図であり、（ａ）は未装着の状態を示し、（ｂ）は装着された状態を示す。
【図１４】変形例を示す容器の斜視説明図であり、（ａ）は未開封の状態、（ｂ）は開封された状態を示す。
【図１５】本発明の第４の実施形態を示す容器の外観斜視図である。
【図１６】本発明の第５の実施形態を示す容器の外観斜視図である。
【図１７】本発明の第６の実施形態を示す容器の外観斜視図である。
【発明を実施するための形態】
【００２４】
図１から図４は本発明の第１の実施形態を示すものであり、図１は開封前の状態の容器の外観斜視図、図２は開封した状態の容器の外観斜視図、図３は把持具の正面図、図４は把持具を折り曲げて載置した状態の外観斜視図である。
【００２５】
図１に示すように、容器１は、袋状の容器本体２と、容器本体２と一体的で離脱自在に設けられた片部３と、を備えている。容器本体２は、１枚のシートにより形成されている。容器本体２は、上端及び下端にシートが重ねられる合わせ部２１を有している。
【００２６】
片部３は、容器本体２の上下中央に左右に延びて設けられ、容器本体２よりも硬く形成されている。本実施形態においては、片部３は、容器本体２よりも剛性の高い材料から形成される。片部３は、容器本体２に設けられた状態で容器本体２の内部を密閉する。
【００２７】
図１に示すように、片部３は、片部３及び容器本体２と接着されている粘着シート４により全面的に覆われる。図２に示すように、粘着シート４を容器本体２から引き剥がすことにより、粘着シート４とともに片部３を容器本体２から離脱させ、容器本体２を開封することができる。開封時、容器本体２には開封孔２２が形成される。本実施形態においては、容器本体２には、例えばポテトチップス等の菓子類５が収容されている。
【００２８】
図３に示すように、片部３を粘着シート４から剥がすことにより、内容物としての菓子類５を把持する把持具として使用することができる。
【００２９】
片部３は、左右に長尺であり、長手方向中央に形成された折り曲げ部３１と、長手方向両端側に形成された把持部３２と、を有する。本実施形態においては、把持部３２は、先端へ向かって先細りに形成される。具体的には、把持部３２は、先端へ向かって上方へ傾斜する下縁傾斜部３３を有する。そして、使用者は、把持部３２の長手方向内側をつまむことにより、図４に示すように、片部３を折り曲げた状態とすることができる。本実施形態においては、片部３は、指等でつまんで両側の把持部３２を接触させるまで深く折り曲げて弾性変形させても、指等を離して負荷を解除すると、その弾性力により、内容物を把持可能な程度にまで各把持部３２が自動的に離隔する。
【００３０】
以上のように構成された容器１によれば、袋の開封とともに使用者に把持具を提供することができる。ここで、片部３を容器本体２よりも硬く形成したので、容器本体２の開封を的確に行うことができる。そして、使用者は、片部３を利用することで、手、指等を汚すことな菓子類５を把持することができる。
【００３１】
ここで、使用者は、片部３を分割等することなくそのまま把持具として用いることができるので、従来のように煩雑な作業を強いられることはない。また、片部３の分割等を考慮した形状をとる必要がないので、容器１を簡単容易に成形することができる。
【００３２】
菓子類５が表面に油や調味料が付着したものである場合、従来、使用者は手、指の汚れをティッシュ等により繰り返し拭き取らなければならず、例えばパーソナルコンピュータの作業など、手、指等を利用した作業を中断しなければならなかった。また、汚れた手、指等によりキーボード、リモートコントローラ等の道具を触ることにより、当該道具が間接的に汚損され不衛生であった。しかしながら、本実施形態の片部３を用いることにより、作業を中断する必要はなくなるし、道具が汚損されることもなく、実用に際して極めて有利である。
【００３３】
また、把持部３２に下縁傾斜部３３を設けたことにより、図４に示すように、把持部３２をテーブル等に載置してもテーブルと接触することはなく、把持部３２を清潔に保つことができる。さらに、片部３に折り曲げ部３１を予め形成しておくことにより、使用者は両端側の把持部３２が会合する位置で片部３を折り曲げることができる。
【００３４】
図５及び図６は本発明の第２の実施形態を示すものであり、図５は開封前の状態の容器の外観斜視図、図６は開封した状態の容器の外観斜視図である。
【００３５】
図５に示すように、容器１０１は、袋状の容器本体２と、容器本体２と一体的で離脱自在に設けられた片部１０３と、を備えている。容器本体２は、下端にのみ合わせ部２１が形成され、上端には片部１０３が設けられている。
【００３６】
片部１０３は、容器本体２の上端の左右にわたって設けられ、容器本体２よりも硬く形成されている。容器本体２のシート材は、連続的に片部１０３の表面をなしており、片部１０３の芯材を覆っている。すなわち、片部１０３は、芯材を利用した容器本体２の合わせ部ということもできる。
【００３７】
片部１０３は、長手方向中央に形成された曲げ部１３１と、長手方向両端側に形成された把持部１３２と、を有する。本実施形態においては、把持部１３２は、先端へ向かって先細りに形成される。具体的には、把持部１３２は、先端へ向かって上方へ傾斜する下縁傾斜部１３３を有する。図５に示すように、片部１０３は、上下が逆さの状態で容器本体２に設けられている。本実施形態においても、片部１０３は、深く折り曲げて弾性変形させても、内容物を把持可能な程度にまで各把持部１３２が自動的に離隔する。
【００３８】
以上のように構成された容器１０１は、図６に示すように、容器本体２と片部１０３の境界に剪断方向の力を加えることにより、境界にてシートが裂かれていき、片部１０３が容器本体２から離脱するとともに、容器本体２が開封される。本実施形態においては、開封時に、容器本体２の上端に開封孔１２２が形成される。
【００３９】
この容器１０１によっても、袋の開封とともに使用者に把持具を提供することができる。ここで、片部１０３を容器本体２よりも硬く形成したので、容器本体２の開封を的確に行うことができる。そして、使用者は、片部１０３を利用することで、手、指等を汚すことな菓子類５を把持することができる。尚、片部１０３は、容器１０１の外表面をなしていることから、表面を保護シートにより被覆して表面に汚れが付着しないようにおき、保護シートを剥がすことで使用可能とするようにしてもよい。
【００４０】
また、把持部１３２に下縁傾斜部１３３を設けたことにより、把持部１３２をテーブル等に載置してもテーブルと接触することはなく、把持部１３２を清潔に保つことができる。さらに、片部１０３に曲げ部１３１を予め形成しておくことにより、使用者は両端側の把持部１３２が会合する位置で片部１０３を折り曲げることができる。
【００４１】
尚、把持具としての片部３，１０３の形状は、例えば図７から図１０に示すように、内容物、使用用途等に応じて適宜変更することができる。図７の片部２０３は、長手方向中心の谷折り部２３１ａと、谷折り部２３１ａと長手方向に離隔して一対の山折り部２３１ｂと、が形成されている。このように、折り曲げ箇所を複数とすることにより、深く折り曲げられた後に各把持部２３２を確実に離隔させることができる。例えば、片部２０３の材質が比較的柔らかく折り曲げ後に各把持部２３２を十分に離隔させ難い場合、把持する内容物が大きいために把持部２３２を比較的大きく離隔させておきたい場合等に有利である。
【００４２】
また、この片部２０３は、片部３,１０３と同様に下縁傾斜部２３３を有し、長手方向両端には波状部２３４が形成されている。図７に示すように、波状部２３４は、長手方向外側へ向かって凸の湾曲形状を連続的に複数有しており、内容物の把持に効果的である。
【００４３】
さらに、片部２０３は、下縁傾斜部２３３の長手方向中央側端部から長手方向中央へ向かって、長手中央へ向かって上方へ傾斜する中央側傾斜部２３５を下縁に有する。図７（ａ）においては、中央側傾斜部２３５は、山折り部２３１ｂの下端まで形成される。この中央側傾斜部２３５により、図７（ｂ）に示すように、片部２０３を載置した状態で、長手方向両端側が斜め上向きとなり、把持部２３２を載置されている面から大きく離隔させることができる。
【００４４】
尚、この片部２０３は、山折り部２３１ｂと谷折り部２３１ａが形成されていることから、山折り部２３１ｂと谷折り部２３１ａの間の下縁部分には、中央側へ向かって下方へ傾斜する補助傾斜部２３６を有する。図７（ｂ）に示すように、補助傾斜部２３６は、片部２０３が各折り部２３１ａ,２３１ｂで折り曲げられた状態で、中央側傾斜部２３５と位置が重なるよう形成されている。
【００４５】
また、図８に示すような片部３０３とすることもできる。図８（ａ）に示すように、この片部３０３は、長手方向中央に曲げ部３３１が形成される。そして、図８（ｂ）に示すように、使用時に曲げ部３３１を湾曲させることにより、把持部３３２を利用して内容物を把持することができる。この片部３０３は、曲げ部３３１をなす長手方向中央の区間は、幅寸法が一定に形成され、曲げられた際に特定箇所に応力が集中しないようになっている。
【００４６】
また、片部３０３は、片部３,１０３と同様に下縁傾斜部３３３を有し、長手方向両端には湾曲部３３４が形成されている。図８（ａ）に示すように、湾曲部３３４は、長手方向外側へ向かって凸部の湾曲形状をなしている。さらに、片部３０３は、先端へ向かって上方へ傾斜する上縁傾斜部３３５を、上縁に有する。
【００４７】
また、片部３０３は、長手方向に一対の係合部としての切り込み３３６ａ，３３６ｂを有する。図８（ａ）では、長手方向一方の下端側に切り込み３３６ａが形成されるとともに、長手方向他方の上端側に切り込み３３６ｂが形成されている。そして、これらの切り込み３３６ａ，３３６ｂを噛み合わせることにより、図９に示すように容器本体２を閉じることができる。尚、この係合部の位置及び形状は任意に変更することができ、要は長手方向に一対の係合部が互いに係合すると容器本体２が閉じられればよい。
【００４８】
また、図１０に示すような片部４０３とすることもできる。図１０（ａ）に示すように、この片部４０３は、第１及び第２の実施形態と同様に、長手方向中央に折り曲げ部４３１が形成され、長手方向両端側が把持部４３２をなし、把持部４３２の下縁に下縁傾斜部４３３を有する。そして、折り曲げ部４３１を挟んで一対のクッション部４３９が形成されている。
【００４９】
この付勢部としてのクッション部４３９は、弾性材料からなり、図１０（ｂ）に示すように、片部４０３が深く折り曲げられると各把持部４３２を離隔させるよう付勢力を片部４０３へ付与する。これにより、片部４０３が深く折り曲げられた後に各把持部４３２を確実に離隔させることができる。例えば、片部４０３の材質が比較的柔らかく折り曲げ後に各把持部４３２を十分に離隔させ難い場合、把持する内容物が大きいために把持部４３２を比較的大きく離隔させておきたい場合等に有利である。さらに、片部４０３は、長手方向両端に形成された湾曲部４３４を有し、中央側傾斜部４３５が折り曲げ部４３１まで形成されている。
【００５０】
さらにまた、図１１（ａ）〜（ｃ）に示すように、片部の長手方向両端を形成してもよい。図１１（ａ）は、把持部５３２の先端に、内容物を刺すための刺し部５３４を形成したものである。尚、把持部５３２の下縁には下縁傾斜部５３３が形成されている。
【００５１】
図１１（ｂ）は、把持部６３２に折り目６３８を形成し、把持部６３２を立体的に形成することにより、把持部６３２を全体的に凹状としたものである。これにより、内容物を掬うことができる。尚、把持部６３２の下縁には下縁傾斜部６３３が形成され、先端には湾曲部６３４が形成されている。
【００５２】
図１１（ｃ）は、把持部７３２に折り目７３８を形成するとともに、先端には刺し部７３４ｂ及び波状部７３４ａを形成したものである。これにより、内容物を掬うことも刺すこともできるし、効果的に把持することもできる。尚、把持部７３２の下縁には下縁傾斜部７３３が形成されている。
【００５３】
図１２及び図１３は本発明の第３の実施形態を示し、図１２は容器の正面説明図、図１３は片部の断面説明図である。
【００５４】
図１２に示すように、容器８０１は、袋状の容器本体２と、容器本体２と一体的で離脱自在に設けられた片部８０３と、を備えている。容器本体２は、上端に合わせ部２１が形成され、下端には片部８０３が設けられている。容器本体２と片部８０３の境界には、切り込み８０４が形成されている。
【００５５】
片部８０３は、容器本体２の下端の左右にわたって設けられる。容器本体２のシート材は、連続的に片部８０３をなしており、片部８０３の左右両端側には、シート材が合わせられる第１合わせ部８２１が設けられる。第１合わせ部８２１は、長手方向両端にて上下にわたって形成され、長手方向中央へ向かって下端寄りに細くなっていく。これにより、図１３（ａ）に示すように、片部８０３の両端には、袋状の指挿入部８３３が形成される。
【００５６】
また、片部８０３の上部には、左右にわたって第２合わせ部８２２が形成されている。これにより、図１３（ｂ）に示すように、親指と人差し指を指挿入部８３３へ挿入して、容器８０１の内容物を把持することができる。この場合、片部８０３の上部両端側が把持部８３２をなす。
【００５７】
また、図１４に示すように、容器本体２の左右両端に合わせ部２１が形成され、上端に片部８０３を形成することも可能である。この場合、図１４（ａ）に示すように、片部８０３の長手方向両端に半包囲部が形成されるようにし、図１４（ｂ）に示すように、半包囲部を利用して指挿入部とすると便利である。
【００５８】
図１５は、本発明の第４の実施形態を示す容器の外観斜視図である。
図１５に示すように、容器９０１は、直方体形状の箱状に形成される容器本体９０２と、容器本体９０２を開封するための開封部９２１と、開封部９２１と隣接して形成された片部９０３と、を有する。本実施形態においては、開封部９２１は、容器本体の上面と一側面にかけて形成され、切り込みにより形づくられている。容器９０１には、内容物として菓子類が収容されている。尚、菓子類は、容器９０１内にて可撓性を有する袋等に収容されていてもよい。
【００５９】
片部９０３は、開封部９２１の下端と連続的に形成される。片部９０３は、開封部９２１と同様に、切り込みによって形づくられており、容器本体９０２から切り離すことができる。片部９０３の形状は、第１及び第２の実施形態と同様である。
【００６０】
図１６は、本発明の第５の実施形態を示す容器の外観斜視図である。
図１６に示すように、容器１００１は、直方体形状の箱状に形成される容器本体１００２と、容器本体１００２を開封するための開封部１０２１と、開封部１０２１の内部に形成された片部１００３と、を有する。本実施形態においては、開封部１０２１は、容器本体の複数の側面にわたって水平方向へ延びるよう形成され、切り込みにより形づくられている。容器１００１には、内容物として菓子類が収容されている。尚、菓子類は、容器１００１内にて可撓性を有する袋等に収容されていてもよい。
【００６１】
片部１００３は、水平方向へ延びる開封部１０２１の一部区間を利用して形成される。片部１００３は、切り込みによって形づくられており、開封部１０２１から切り離すことができる。片部１００３の形状は、第１及び第２の実施形態と同様である。
【００６２】
図１７は、本発明の第６の実施形態を示す容器の外観斜視図である。
図１７に示すように、容器１１０１は、上方を開放した箱状の容器本体１１０２と、容器本体１１０２の上端に設けられた片部１１０３と、を有する。容器本体１１０２には、例えばフライドポテトが収容される。片部１１０３は、容器本体１１０２の開口１１０２に沿って形成され、切り込みにより形づくられている。片部１１０３の形状は、第１及び第２の実施形態と同様である。
【００６３】
尚、前記各実施形態においては、容器に食べ物が収容されているものを例示したが、本発明の内容物は食べ物に限定されるものでなく、例えば汚物、高温又は低温の物体等であってもよい。また、片部は、内容物を容器から取り出す場合でなく、内容物を容器へ収容する場合に使用するものであってもよい。例えば、ペット等の汚物や使用後のたばこを収容する容器の場合は、内容物を容器へ収容するために把持具を用いることとなる。また、例えば、開封前は容器にペットの餌を収容し、開封後は容器をペットの汚物入れとして使用する場合、把持具は餌及び汚物の把持に用いられることとなる。さらには、片部は、容器の開封時だけでなく、容器の再度の密封に用いるようにしてもよい。
【００６４】
さらに、内容物や使用用途に応じて、把持部に滑り止めの部分を形成してもよい。滑り止めは、内容物が当接する側の面と、指が当たる当接する側の面の少なくとも一方に形成することができる。例えば、片部が指に対しても内容物に対しても滑り易い材質である場合には、内容物側と指側の面の両方に滑り止めを形成しておけばよい。滑り止めは、例えば、片部の表面を粗面加工したり、片部の表面に粘着性の高い材料を塗布したり、片部の表面に突起を形成したりすることにより形成することができる。
【００６５】
以上、本発明の代表的と思われる実施例について説明したが、本発明は必ずしもこれらの実施例構造のみに限定されるものではなく、具体的な細部構造等について適宜に変更可能であることは勿論である。
【符号の説明】
【００６６】
１        容器
２        容器本体
３        片部
４        粘着シート
５        菓子類
１０１    容器
１０３    片部
２０３    片部
３０３    片部
４０３    片部
８０１    容器
８０３    片部
９０１    容器
９０２    容器本体
９０３    片部
１００１  容器
１００２  容器本体
１００３  片部
１１０１  容器
１１０２  容器本体
１１０３  片部
【図１】
2011173598.tif 000003
【図２】
2011173598.tif 000004
【図３】
2011173598.tif 000005
【図４】
2011173598.tif 000006
【図５】
2011173598.tif 000007
【図６】
2011173598.tif 000008
【図７】
2011173598.tif 000009
【図８】
2011173598.tif 000010
【図９】
2011173598.tif 000011
【図１０】
2011173598.tif 000012
【図１１】
2011173598.tif 000013
【図１２】
2011173598.tif 000014
【図１３】
2011173598.tif 000015
【図１４】
2011173598.tif 000016
【図１５】
2011173598.tif 000017
【図１６】
2011173598.tif 000018
【図１７】
2011173598.tif 000019